(57)【特許請求の範囲】
【請求項１】
粉状または顆粒状の材料を包装し、前記材料を他の容器に移し替えるための包装容器であって、
開口部と底部とを有する筒形状の容器本体と、
前記開口部に狭口側を向けて、前記容器本体内部に装着される漏斗パーツと、
一方面が前記開口部にシールされて前記容器本体を封止し、中心部から放射状に延びる切断線が形成され、外部からの押圧によって破断するシール蓋と、
少なくとも前記切断線の全体を覆い、かつ、前記シール蓋から剥離可能となるように前記シール蓋の他方面に貼着される保護シートと、
前記開口部の周縁に沿って、前記容器本体の側壁の少なくとも一部、及び、前記シール蓋の周辺部を環状に取り囲むシュリンクフィルムと、
前記シール蓋上の前記シュリンクフィルムで覆われていない領域と、前記シュリンクフィルムの内周縁の全周に沿った領域とを覆うように、少なくとも前記保護シート及び前記シュリンクフィルムに貼着される粘着ラベルとを備える包装容器。
【請求項２】
前記保護シートと前記粘着ラベルとの接着強度は、前記シール蓋と前記保護シートとの接着強度より高い、請求項１に記載の包装容器。
【請求項３】
前記保護シートは、ポリエチレンテレフタレート層及び粘着層を含む、請求項１または２に記載の包装容器。
【請求項４】
粉状または顆粒状の材料を包装し、前記材料を他の容器に移し替えるための包装容器の製造方法であって、
放射状に延びる切断線を形成したシート材の一方面を容器本体の開口部にシールして、前記容器本体の開口部を、前記シート材からなるシール蓋で封止し、
前記シール蓋を前記開口部にシールした後に、前記切断線の全体を覆い、かつ、前記シール蓋から剥離可能となるように前記シート材の他方面である前記シール蓋の外面に前記保護シートを剥離可能に貼着し、
前記開口部の周縁に沿って、前記容器本体の側壁の少なくとも一部、及び、前記シール蓋の周辺部を環状に取り囲むようにシュリンクフィルムを取り付け、
前記シール蓋上の前記シュリンクフィルムで覆われていない領域と、前記シュリンクフィルムの内周縁の全周に沿った領域とを覆うように、少なくとも前記保護シート及び前記シュリンクフィルムに粘着ラベルを貼着する、包装容器の製造方法。
【請求項５】
粉状または顆粒状の材料を包装し、前記材料を他の容器に移し替えるための包装容器の製造方法であって、
放射状に延びる切断線を形成したシート材の一方面に、少なくとも前記切断線の全体を覆い、かつ、前記シート材から剥離可能となるように保護シートを貼着し、
前記シート材を前記開口部にシールして、前記容器本体の開口部を前記保護シートが貼着された前記シート材からなるシール蓋で封止し、
前記開口部の周縁に沿って、前記容器本体の側壁の少なくとも一部、及び、前記シール蓋の周辺部を環状に取り囲むようにシュリンクフィルムを取り付け、
前記シール蓋上の前記シュリンクフィルムで覆われていない領域と、前記シュリンクフィルムの内周縁の全周に沿った領域とを覆うように、少なくとも前記保護シート及び前記シュリンクフィルムに粘着ラベルを貼着する、包装容器の製造方法。
【発明の詳細な説明】
【技術分野】
【０００１】
本発明は、粉状・顆粒状等の流動性を有する物質を包装し、内容物を保存容器に移し替えるための包装容器及び包装容器の製造方法に関するものである。
【背景技術】
【０００２】
インスタントコーヒー等の粉末状の食品を包装する詰め替え（移し替え）機能を付与した包装容器として、ミシン目を備えたシール蓋を容器本体の開口部にシールし、更に、シール蓋を保護する為に、別途オーバーキャップでシール蓋を覆った包装容器が用いられる場合がある（例えば、特許文献１）。また、特許文献２には、放射状リブが天板の内面に設けられたオーバーキャップが開示されている。当該オーバーキャップでシール蓋を覆うことで、前記放射状リブや横リブ等によってシール蓋が抑えられ、シール蓋の破断が防止される。包装容器を使用する際には、オーバーキャップを取り外した状態で、シール蓋に押圧を加える。シール蓋にはミシン目が形成されているため、押圧によって容易に開封する。
【先行技術文献】
【特許文献】
【０００３】
【特許文献１】特開２００９−２８０２８３号公報
【特許文献２】特開２００９−２８０２８５号公報
【発明の概要】
【発明が解決しようとする課題】
【０００４】
図４は、容器本体の開口部を封止するシール蓋の破断を説明する為の上面図及び側面図である。
【０００５】
上述した包装容器の製造工程では、シール蓋９２０が貼着された容器本体９１０が、オーバーキャップを装着する後の工程に向けて、コンベアに複数並べられた状態で搬送されたり、コンベア上のストッパーに押し当てられたり、スターホイール式移載装置にセットされたりする。容器本体９１０の開口部９１１に、隣接する容器本体９１０やストッパーなどから押圧力が加わると、容器本体９１０の開口部９１１が楕円状に変形する。このとき、切断線９２３の向きによっては、シール蓋９２０に不均一に生じる張力によって、シール蓋９２０が切断線９２３に沿って破断するという問題が発生する。
【０００６】
また、密封包装済みの包装容器は、流通過程において、輸送時または保管時等における外的衝撃や押圧力などにより、強度的に最も弱い部分となる前記切断線に沿ってシール蓋が破断するという不測の事態が発生する。さらに、密封包装済みの包装容器は、流通過程において、内容物を包装した場所とは気圧や温度が異なる環境（例えば標高の高い地域）に輸送されることがある。外部の気圧が包装容器内部の圧力と異なる場合、包装容器の内部と外部とで圧力差が発生する。また、温度変化によって、包装容器内部の圧力が変化すると、やはり包装容器の内部と外部とで圧力差が発生する。このような状態で、包装容器のオーバーキャップを取り外すと、シール蓋が予期せずに破裂するという問題が発生する。
【０００７】
それ故に、本発明の目的は、流通過程や保存時だけでなく、製造過程においても、シール蓋が破断されない包装容器及び当該包装容器の製造方法を提供することである。また、当該包装容器の開封時に破裂することがないシール蓋を提供することである。
【課題を解決するための手段】
【０００８】
本発明は、粉状または顆粒状の内容物を包装し、その内容物を他の容器に移し替えるための包装容器に関する。包装容器は、開口部と底部とを有する筒形状の容器本体と、前記開口部にシールされて容器本体を封止すると共に、中心部から放射状に延びる切断線が形成され、外部からの押圧によって破断するシール蓋と、少なくとも切断線の全体を覆い、かつ、シール蓋から剥離可能となるようにシール蓋の他方面に貼着される保護シートと、開口部の周縁に沿って、容器本体の側壁の少なくとも一部、及び、シール蓋の周辺部を環状に取り囲むシュリンクフィルムと、シール蓋上のシュリンクフィルムで覆われていない領域と、シュリンクフィルムの内周縁の全周に沿った領域とを覆うように、少なくとも保護シート及びシュリンクフィルムに貼着される粘着ラベルとを備える。
【発明の効果】
【０００９】
本発明によれば、包装容器の製造過程、流通過程及び保存時において、破断が防止されたシール蓋を実現できる。また、本発明によれば、包装容器の開封時に予期せずに破断することが防止されたシール蓋を実現できる。
【図面の簡単な説明】
【００１０】
【図１】第１の実施形態に係る包装容器の斜視図
【図２】図１に示す包装容器のＡ−Ａラインに沿った断面図
【図３Ａ】第１の実施形態に係る包装容器の製造方法を説明する上面図及び正面図
【図３Ｂ】図３Ａに続く工程を説明する正面図
【図３Ｃ】図３Ｂに続く工程を説明する正面図
【図３Ｄ】図３Ｃに続く工程を説明する正面図
【図４】容器本体の開口部を封止するシール蓋の破断を説明する為の上面図及び側面図
【発明を実施するための形態】
【００１１】
（第１の実施形態）
図１は第１の実施形態に係る包装容器の斜視図である。図２は、図１に示す包装容器のＡ−Ａラインに沿った断面図である。尚、図２では、開口部を含む一部分の包装容器の断面を示している。
【００１２】
包装容器１０１は、特許文献１に記載されているものと同様に、内容物を詰め替えする為のものである。当該包装容器１０１は、容器本体１１０と、漏斗パーツ１６０と、シール蓋１２０と、保護シート１３０と、シュリンクフィルム１４０と、粘着ラベル１５０とを備える。容器本体１１０の内部には粉体等の内容物（図示せず）が充填されている。
【００１３】
容器本体１１０は、内容物を収容するための容器であり、開口部１１１と、底部とを有する円筒状に形成されている。
【００１４】
漏斗パーツ１６０は、内容部の詰め替え時において、内容物を詰め替え先の容器に導くガイドとして機能する。漏斗パーツ１６０は、狭口側を容器本体１１０の開放端に向けた状態で、容器本体１１０の内部に装着されている。
【００１５】
シール蓋１２０は、一方面（図２における下面）が容器本体１１０の開口部１１１にシールされ、容器本体１１０を封止する。また、シール蓋１２０には、詰め替え時に押圧された際の破断を容易にするために、放射状の切断線１２３が中心から所定の長さにわたって形成されている。切断線１２３は、ミシン目やハーフカットで形成される。尚、切断線１２３の長さ、本数、形状等は、シール蓋１２０の材質や内容物の詰め替え先の容器の形状に応じて任意に設定できる。その際、落下時の衝撃等による破断を防止するため、切断線１２３は、シール蓋１２０の周縁部には到達しないよう形成することが好ましい。
【００１６】
保護シート１３０は、シール蓋１２０の意図しない破断を防止するためのものであり、切断線１２３の全体を覆い、かつ、シール蓋１２０から剥離可能となるようにシール蓋１２０の他方面（図２における上面）に貼着されている。
【００１７】
ここで、保護シート１３０は、破れないよう十分な強度を持つ必要がある。また、包装容器１０１の内圧の変化や開口部１１１の変形によってシール蓋１２０にかかる力から、シール蓋１２０を保護するため、変形しにくい材質であることが必要である。保護シート１３０は、さらに、シール蓋１２０から剥離する方向への捲り上げを容易にし、かつ、剥離位置への引張力を集中し易くするため、柔軟性を有する材質であることが要求される。そのため、例えば、ＰＥＴ（ポリエチレンテレフタレート）および弱粘着層を有する積層フィルムを、保護シート１３０の基材に用いることが好ましいが、シール蓋１２０を保護できるものであれば、層構成は任意である。また、保護シート１３０をシール蓋１２０に剥離可能に貼着するには、例えば、基材（ＰＥＴ等）の一方面に粘着層を積層し、その上に剥離ニスをドット状に塗布した層構成を有する保護シート１３０を用いる。但し、保護シート１３０をシール蓋１２０から剥離可能に貼着できるものであれば、イージーピールフィルムなど別の層構成を有する保護シートを採用しても良い。
【００１８】
シュリンクフィルム１４０は、容器本体１１０の開口部１１１の周縁に沿って、容器本体１１０の側壁の一部と、シール蓋１２０の周辺部を環状に取り囲むように取り付けられている。
【００１９】
粘着ラベル１５０は、シール蓋１２０上のシュリンクフィルム１４０で覆われていない領域と、シュリンクフィルム１４０の内周縁の全周に沿った領域とを覆うように、保護シート１３０及びシュリンクフィルム１４０に貼り付けられている。尚、粘着ラベル１５０と、保護シート１３０及びシュリンクフィルム１４０との接着強度は、包装容器１０１の流通過程や保存時に剥離することがないよう強力なものとすることが好ましい。また、粘着ラベル１５０と保護シート１３０との接着強度は、保護シート１３０とシール蓋１２０との接着強度より高い。粘着ラベル１５０は、例えば、紙層、ＰＥＴ層、強粘着層から構成される。但し、層構成は特に限定されず、保護シート１３０やシュリンクフィルム１４０に接着されるものであれば任意である。
【００２０】
以下に、第１の実施形態に係る包装容器の製造方法を、図３Ａ〜３Ｄを用いて説明する。尚、図３Ａの（ａ）は、製造方法を説明する上面図を示し、図３Ａの（ｂ）は、図３Ａ（ａ）のＢ−Ｂ線に沿った断面図を示す。尚、図３Ｂ〜３Ｄでは、開口部を含む一部分の包装容器の断面を示している。
【００２１】
まず、図３Ａに示すように、放射状に延びる切断線１２３が形成されたシート材１２５の一方面（図３Ａ（ｂ）の下面）を、並べて配置した容器本体１１０の開口部１１１にシールする。尚、容器本体１１０の内部には漏斗パーツ１６０が装着され、内容物（図示せず）が充填されている。そして、シート材１２５のうち、１点鎖線で囲まれる部分を打ち抜き、開口部がシール蓋で封止された容器本体１１０を得る。図３Ａでは、３個の包装容器１１０に対して同時にシート材１２５をシールしているが、同時にシート材１２５をシールする包装容器１１０の数は任意で良い。また、１つの包装容器１１０毎にシート材１２５をシールしても良い。
【００２２】
次に、図３Ｂに示すように、切断線１２３の全体を覆うように、保護シート１３０をシール蓋１２０の外面に貼着する。
【００２３】
次に、図３Ｃに示すように、開口部１１１の周縁に沿って、容器本体１１０の側壁１１２の開口部側上端の一部と、シール蓋１２０の外周縁部とを環状に取り囲むようにシュリンクフィルム１４０を取り付ける。
【００２４】
そして、シール蓋１２０上のシュリンクフィルム１４０で覆われていない領域１６１と、シュリンクフィルム１４０の内周縁の全周に沿った領域１６２とを覆うように、少なくとも保護シート１３０及びシュリンクフィルム１４０に粘着ラベル１５０を貼着すると、図３Ｄに示すように第１の実施形態に係る包装容器１０１が完成する。
【００２５】
このように、第１の実施形態に係る包装容器１０１の製造工程においては、シール蓋１２０で開口部１１１を封止した後、シール蓋１２０の切断線１２１が保護シート１３０によって保護される。この結果、シール蓋１２０で開口部１１１を封止した後に行われる工程や搬送の際に、シール蓋１２０の破断が防止される。加えて、包装容器１０１の流通過程や保存時においても、保護シート１３０によってシール蓋１２０の破断が確実に防止される。
【００２６】
また、作製された包装容器１０１においては、粘着ラベル１５０は、シュリンクフィルム１４０と、保護シート１３０とに強く粘着しているが、上述のように、保護シート１３０とシール蓋１２０との粘着力は相対的に弱く設定されている。そのため、使用時にシュリンクフィルム１４０を剥がす作業を行うだけで、シュリンクフィルム１４０と、粘着ラベル１５０と、保護シート１３０とが一体となった状態でシール蓋１２０から剥離することができる。従って、利用者は、シュリンクフィルム１４０や保護シート１３０を別途剥離する必要がなく、開封作業を容易に行うことができる。
【００２７】
更に、シール蓋１２０は、保護シート１３０で保護されているため、粘着ラベル１５０には、シール蓋１２０を保護する機能を与える必要がない。従って、例えば、薄い紙やＰＥＴで粘着ラベルを作製することで、製造コストを低減することができる。更に、包装容器１０１は、保護シート１３０の下面（粘着面側）に当たりくじ等の印刷を施すことによって、キャンペーン等に利用することができる。
【００２８】
尚、シート材を開口部１１１にシールしてから保護シート１３０を貼着すること（図３Ａ及び３Ｂ）に代えて、シート材１２５に保護シート１３０を貼着した後、当該シート材１２５を開口部１１１にシールしても良い。この方法では、フラットな状態で保護シート１３０をシート材１２５に隙間なく沿わせて貼着できるため、保護シート１３０に弾力性がある場合（層構成にアルミニウムを含まない場合など）には、特に効果的である。
【００２９】
また、第１の実施形態では、シート材を容器本体の開口部に貼着してから、シール蓋を打ち抜いているが、予め打ち抜いたシール蓋を容器本体の開口部に貼着しても良い。
【００３０】
更に、第１の実施形態では、シュリンクフィルムは、保護シートの外方に位置するシール蓋の周辺部を環状に取り囲んでいるが、側壁の一部、前記シール蓋の周辺部及び保護シートの周辺部を環状に取り囲んでも良い。
【００３１】
更に、第１の実施形態では、保護シートは、切断線を覆うようにシール蓋の内側一部に貼着しているが、特にこれに限定されず、例えば、保護シートを、シール蓋の全面を覆うように、シール蓋に貼着しても良い。
【００３２】
尚、上記の第１の実施形態では、容器本体には円筒形状のものを用いている。しかし、容器本体の形状は、筒状であれば特に限定されず、例えば、横断面形状が多角形状であっても良い。このとき、シール蓋の外形は、容器本体の横断面に合わせた形状に作製することが好ましい。
【産業上の利用可能性】
【００３３】
本発明は、粉状・顆粒状等の流動性を有する物質を他の容器に移し替えるための包装容器等に有用である。
【符号の説明】
【００３４】
１０１、２０１    包装容器
１１０、２１０    容器本体
１１１、２１１    開口部
１１２    側壁
１２０、２２０    シール蓋
１２３    切断線
２２３    ミシン目
１３０    保護シート
１４０    シュリンクフィルム
１５０    粘着ラベル
１６１、１６２  領域
２２１  第１シート
２２２  第２シート
２２４  タブ
１２５、２２５、２２６  シート材
【図１】
0005853432.tif 000002
【図２】
0005853432.tif 000003
【図３Ａ】
0005853432.tif 000004
【図３Ｂ】
0005853432.tif 000005
【図３Ｃ】
0005853432.tif 000006
【図３Ｄ】
0005853432.tif 000007
【図４】
0005853432.tif 000008